(57)【要約】【課題】従来では難しかった木製のリコーダーに近い音色と吹奏感を実現する。【解決手段】歌口部２０には、その一端側２０ａから他端２０ｂ側に向かって開口するウィンドウェイ３０が形成されており、歌口部２０は、ウィンドウェイ３０を挟んで、その底面２１ａがウインドウェイ３０の天井部３３とされる天板部２１と、その上面２２ａがウィンドウェイ３０の底部３４とされるブロック部２２とに分割して形成されている。【選択図】図１
2019053218.tif 000002
【特許請求の範囲】
【請求項１】
歌口を最上部として、頭部管、中部管、足部管を有するリコーダーであって、上記頭部管の先端部に発音機構を有するＡＢＳ樹脂等のプラスチック製のリコーダーにおいて、
上記発音機構は、内部を空洞として管状に形成される本体部と、その一端側を吹き込み口として上記本体部の長さ方向に形成されるウィンドウェイを有し、上記管状体の空洞に嵌着される歌口部と、上記ウィンドウェイの吹き出し口と対向して配置されるエッジと、上記ウィンドウェイと上記エッジとの間に設けられ、上記本体部の空洞を外部に連通させる窓部とを備え、
上記歌口部は、その一端側が嘴形状に突出される円筒形状からなるとともに、上記歌口部には、その一端側から他端側に向かって開口するウインドウェイが形成されており、
上記歌口部は、上記ウィンドウェイを挟んで、その底面が上記ウインドウェイの天井部とされる天板部と、その上面が上記ウィンドウェイの底部とされるブロック部とに分割して形成されており、
上記ウィンドウェイは、上記天板部を、所定の位置決め手段を介して、上記ブロック部の上面に配置することにより形成されることを特徴とするリコーダー。
【請求項２】
上記位置決め手段は、上記ブロック部の上面に上記ウィンドウェイの上記天板部の長さ方向の両側辺を支持するように切り溝された一対の段部と、上記一対の段部の間に凹溝とからなり、
上記ウィンドウェイは、上記一対の段部に上記天板部を配置することにより、上記天板部を上記ウィンドウェイの天井部として、上記凹溝を上記ウィンドウェイの側壁部および底部として形成されることを特徴とする請求項１に記載のリコーダー。
【請求項３】
上記天井部には、上記吹き込み口から上記ウィンドウェイの長さの１／３の部分を頂点として所定の曲率を有する凹曲面状に形成されているとともに、上記底部には、上記吹き込み口から上記ウィンドウェイの長さの１／２の部分を頂点として所定の曲率を有する凹曲面状に形成されていることを特徴とする請求項１または２に記載のリコーダー。
【請求項４】
上記天板部と上記ブロック部の上記吹き込み口と上記吹き出し口の角部には、それぞれ面取り部が形成されていることを特徴とする請求項１ないし２のいずれか１項に記載のリコーダー。
【発明の詳細な説明】
【技術分野】
【０００１】
本考案は、ＡＢＳ樹脂等からなるプラスチック製のリコーダーに関し、さらに詳しく言えば、発音源となるウィンドウェイの構造に関するものである。
【背景技術】
【０００２】
リコーダーの管には、メープル、つげ等の比較的柔らかい木材からなるもの、紫檀や黒檀のような堅い木材からなるもの等が挙げられるが、木製のリコーダーは、木材が温度の変化などで割れるおそれがあるため、日常のメンテナンスが欠かせない。
【０００３】
そこで、現在では、割れにくくメンテナンスも容易なＡＢＳ樹脂等のプラスチック製のリコーダーが普及している。なお、プラスチック製のリコーダーは、金型成形により製造され量産ができるため、比較的安価に提供されている。
【０００４】
一般的なリコーダーは、歌口を最上部として、頭部管、中部管、足部管の３つの部分から構成されている。発音機構は頭部管の先端側に設けられており、一般的に発音機構は、ウィンドウェイ、窓、およびエッジからなり、ウィンドウェイの吹き出し口へと息を吹き込むことによりリコーダーが発音する。
【０００５】
図５には、従来の一般的なリコーダーの発音機構が示されており、内部を空洞１ａとする本体部（頭部管）１と、本体部１の先端側に嘴状に突出して設けられる歌口部２とを備え、歌口部２は、本体部１と一体的に形成されている。
【０００６】
歌口部２には、その底面側に沿ってウィンドウェイ３が設けられるようになっており、ウィンクドウェイ３は、歌口部２の先端側を息の吹き込み口３ａとし、本体部１の空洞２ａ側を息の吹き出し口３ｂとして、本体部１の長さ方向に沿って設けられる。
【０００７】
また、本体部１には、ウィンドウェイ３の吹き出し口３ｂと対向して配置されるエッジ４と、ウィンドウェイ３の吹き出し口３ａとエッジ４との間に設けられ、本体部１の空洞１ａを外部に連通させる窓部５とが設けられている。
【０００８】
この例で、ウィンドウェイ３は、本体部１の空洞１ａ内にブロック６を嵌め込むことにより形成されるようになっており、ブロック６は、図６に示すように、一端側を嘴状とする円筒体からなり、その上面６ａが上に突き出る平坦面とされている。
【０００９】
すなわち、図５に示すように、ブロック６を本体部１の空洞１ａ内に嵌め込むことにより歌口部２とブロック６との間に形成される溝（空気の通路）がウィンドウェイであり、歌口部２の底面２ａを天井部３ｃとし、ブロック６の上面（平坦面）６ａを底部３ｄとするウィンドウェイ３が形成されるようになっている。
【００１０】
ところで、頭部管（本体部）１に設けられる発音機構は、息を吹き込み吹き出すウィンドウェイ３の形状と、ウィンドウェイ３から吹き出された息のエッジ４への息の当たり具合により、音色や吹奏感が異なるため複雑である。
【００１１】
いいかえれば、、ウィンドウェイ３の形状（天井部と底部の横幅、高さ等）により、吹き込まれる息の流れが変わるため、ウィンドウェイ３の形状は、音色を左右する重要パラメータの一つとなっている。
【００１２】
その一例として、最近では、音色や吹奏感の向上のために、ウィンドウェイ３の天井部３ｃと底部３ｄの横幅をエッジ４に向かって徐々に狭まるようにするようにしたものが、主流となっている。
【００１３】
また、ウィンドウェイ３の吹き込み口３ａがアーチ形になっているものと長方形（ストレート）になっているものがあるが、アーチ型もストレート型も直接音質には影響しないものの、アーチ型は息の量をコントロールしやすく張りのある音色となるため独奏用、ストレート型は柔らかい音色となるため合奏用として用いられることが多くなっている。
【００１４】
そして、下記特許文献１のように、エッジと対向するウィンドウェイの吹き出し口に面取り部を形成することにより、ウィンドウェイから発する空気の流速を遅くしないようにして、音量のある、かつ、張りのある発音を実現しようとしているものもある。
【００１５】
このように、ウィンドウェイの形状には種々の工夫がなされている。しかしながら、、バロック時代の名器といわれるリコーダーのウィンドウェイでは、天井部、底部、断面、横幅のそれぞれが微細なカーブを描くように製作されており、そのような名器を精密に復元し優れた音色と吹奏感を実現することは非常に難しい。
【００１６】
特に、ＡＢＳ樹脂等からなるプラスチック製のリコーダーでは、手作業で作成される木製のリコーダーとは異なり、金型成形により成形されるため、ウィンドウェイのような細長い溝に微細なカーブ等を施すことは困難である。
【００１７】
また、上記従来例のようなウィンドウェイのように、その形状を、長方形・ストレート幅・一定高さとするものは、作製しやすく、金型成形であれば、量産が可能でコストも低廉に抑えることができる。
【００１８】
しかしながら、金型成形で形成されるリコーダーから発音される音色は、音質が軽く遠達感がなく、木製に比べると適当に吹いている、例えば、おもちゃのような音色になるという問題も指摘されている。
【先行技術文献】
【特許文献】
【００１９】
【特許文献１】特開平７−１２９１５３号公報
【発明の概要】
【発明が解決しようとする課題】
【００２０】
本発明は、上記のような問題点を解決するためになされたもので、その目的は、ＡＢＳ樹脂等からなるプラスチック製のリコーダーにおいて、従来では困難であったウィンドウェイの天井部および底部に微細なカーブを形成することにより、優れた音色と吹奏感を実現することができるリコーダーを提供することにある。
【課題を解決するための手段】
【００２１】
上記課題を解決するため、本発明は、歌口を最上部として、頭部管、中部管、足部管を有するリコーダーであって、上記頭部管の先端部に発音機構を有するＡＢＳ樹脂等のプラスチック製のリコーダーにおいて、
上記発音機構は、内部を空洞として管状に形成される本体部と、その一端側を吹き込み口として上記本体部の長さ方向に形成されるウィンドウェイを有し、上記管状体の空洞に嵌着される歌口部と、上記ウィンドウェイの吹き出し口と対向して配置されるエッジと、上記ウィンドウェイと上記エッジとの間に設けられ、上記本体部の空洞を外部に連通させる窓部とを備え、
上記歌口部は、その一端側が嘴形状に突出される円筒形状からなるとともに、上記歌口部には、その一端側から他端側に向かって開口するウインドウェイが形成されており、
上記歌口部は、上記ウィンドウェイを挟んで、その底面が上記ウインドウェイの天井部とされる天板部と、その上面が上記ウィンドウェイの底部とされるブロック部とに分割して形成されており、
上記ウィンドウェイは、上記天板部を、所定の位置決め手段を介して、上記ブロック部の上面に配置することにより形成されることを特徴としている。
【００２２】
本発明において、上記位置決め手段は、上記ブロック部の上面に上記ウィンドウェイの上記天板部の長さ方向の両側辺を支持するように切り溝された一対の段部と、上記一対の段部の間に切り溝された凹溝とからなり、
上記ウィンドウェイを、上記一対の段部に上記天板部を配置することにより、上記天板部を上記ウィンドウェイの天井部として、上記凹溝を上記ウィンドウェイの底部および側壁部として形成させるとよい。
【００２３】
本発明において、上記天井部には、上記吹き込み口から上記ウィンドウェイの長さの１／３の部分を頂点として所定の曲率とする凹曲面状に形成されているとともに、上記底部には、上記吹き込み口から上記ウィンドウェイの長さの１／２の部分を頂点として所定の曲率とする凹曲面状に形成することが好ましく、また、上記天板部と上記ブロック部の上記吹き込み口と上記吹き出し口の角部に、それぞれ面取り部を形成するとよい。
【発明の効果】
【００２４】
本発明によれば、歌口部を、底面が上記ウインドウェイの天井部とされる天板部と、その上面が上記ウィンドウェイの底面とされるブロック部とに分割して形成し、ブロック部の上面に天板部を所定に位置決めして配置するという簡単な構成でウィンドウェイを形成することができる。
【００２５】
また、ウィンドウェイの構成を、天板部とブロック部との分割した２つの部材から構成することにより、ウィンドウェイの天井部や底部に、従来では困難であった微細なカーブを施すことができるため、木製リコーダーのような優れた音色と吹奏感を実現することができる。
【図面の簡単な説明】
【００２６】
【図１】本実施形態に係る発音機構を分解して模式的に示す斜視図。
【図２】本実施形態に係る発音機構の（ａ）歌口側側面図、（ｂ）断面図。
【図３】本実施形態に係る本体部の（ａ）歌口が取り付けられる側の側面図、（ｂ）断面図。
【図４】本実施形態に係るウィンドウェイを模式的に示す断面図。
【図５】従来の発音機構を模式的に示す断面図。
【図６】従来の発音機構のブロック部を模式的に示す斜視図。
【発明を実施するための形態】
【００２７】
次に、図１ないし図４により、本発明の実施形態について説明するが、本発明はこれに限定されるものではない。
【００２８】
図１を参照して、本実施形態に係るリコーダーは、他の一般的なリコーダーと同様に、リコーダーの発音機構を備える頭部管、中部管および足部管から構成されるＡＢＳ樹脂等のプラスチック製のリコーダーであるが、本実施形態において、中部管および足部管は、他の一般的な中部管および足部管と同じで構成であってよいため、図示およびその説明は省略する。
【００２９】
図１および図２に示すように、本実施形態に係る頭部管の発音機構は、内部を空洞１１とする本体部（頭管部）１０と、本体部１０の空洞１１内へと嵌め込まれるほぼ円筒形状の歌口部２０とから構成されている。
【００３０】
この例で、歌口部２０は、その一端２０ａ側が嘴形状とされ、その一端２０ａ側から他端２０ｂ側に向かって開口するウィンドウェイ３０が形成されている。ウィンドウェイ３０は、その一端側（歌口部２０の一端２０ａ側）を息の吹き込み口３１とし、その他端側（本体部１０の空洞１１側）を息の吹き出し口３２として形成されている。
【００３１】
また、本体部１０には、ウィンドウェイ３０の吹き出し口３２と対向して配置されるエッジ１２と、ウィンドウェイ３０の吹き出し口３２とエッジ１２との間に設けられ、本体部２の空洞１１を外部に連通させる窓部１３が形成されている。
【００３２】
本実施形態において、歌口部２０は、ウィンドウェイ３０を挟んで、天板部２１とブロック部２２とに分割可能に形成されており、ブロック部２２の上面２２ａ側に天板部２１の底面２１ａ側を配置することによりウィンドウェイ３０が形成されるようになっている。
【００３３】
この例で、天板部２１は、図２（ａ）に示すように、所定の肉厚によりアーチ状に形成された板状体からなり、後述する所定の位置決め手段によりブロック部２２の上面２２ａ側に配置される。
【００３４】
ブロック部２２は、その一端側を嘴形状とした円筒体からなり、その上面２２ａには、天板部２１の長さ方向の両側辺２１ｂ，２１ｃを支持するように切り溝された一対の段部２３と、一対の段部２３の間に所定の長さに切り溝された凹溝２４が形成されている。
【００３５】
この例で、ブロック部２２の一対の段部２３は、天板部２１とブロック部２２との配置関係を位置決めする手段とされており、図２（ａ）に示すように、ブロック部２２の一対の段部２３へと天板部２１の両側辺２１ｂ，２１ｃを位置決めして配置させることにより、天板部２１とブロック部２２との間にウィンドウェイ３０を形成することができる。
【００３６】
すなわち、天板部２１の両側辺２１ｂ，２１ｃを、ブロック部２２の一対の段部２３へと位置決めして配置させることにより、天板部２１の底面２１ａをウィンドウェイ３０の天井部３３とし、ブロック部２２の凹溝２４をウィンドウェイ３０の底部３４および側壁部３５，３６として、ウィンドウェイ３０を形成することができる。
【００３７】
なお、ウィンドウェイ３０は、他の一般的なウィンドウェイと同様に、天井部３３と底部３４の横幅がエッジに向かって徐々に狭まるように形成されているが、本実施形態においては、図４に示すように、天板部２１の底面２１ａ（ウィンドウェイ３０の天井部３３）は、吹き込み口３１からウィンドウェイの長さＬ１の１／３の部分を頂点Ａとして所定の曲率を有する凹曲面状に形成されている。
【００３８】
また、図４に示すように、ブロック部２２の凹溝２４から形成されるウィンドウェイ３０の底部３４も、吹き込み口３１からウィンドウェイの長さＬ１の１／２の部分を頂点Ｂとして所定の曲率を有する凹曲面状に形成されている。
【００３９】
この例では、頂点Ａは、ウィンドウェイ３０の吹き込み口３１と吹き出し口３２となる天板部２１の底面２１ａの両角部２１ｄ，２１ｅを結ぶ仮想線Ｌ２より０．３ｍｍ上の位置に設けられているとともに、頂点Ｂは、ウィンドウェイ３０の吹き込み口３１と吹き出し口３２となるとなるブロック部３２の凹溝２４の角部２４ａ，２４ｂを結ぶ仮想線Ｌ３より０．２ｍｍ下の位置に設けられている。
【００４０】
また、図４に示すように、ウィンドウェイ３０の吹き込み口３１と吹き出し口３２となる、天板部２１の底面２１ａの角部２１ｄ，２１ｅおよびブロック部２２の凹溝２４の角部２２ａ，２２ｂには、それぞれ面取りが施されている。
【００４１】
なお、本実施形態では、図２（ｂ）および図３に示すように、本体部１０には、ウィンドウェイ３０の吹き出し口３２とエッジ１２との適正な間隔（窓部１３）を保つべく、本体部１０には、歌口部２０の他端２０ｂ側と当接するリング状の突き当て部１４が形成されている。
【００４２】
そのため、図１に示すように、天板部２１をブロック部２２へと配置してウインドウェイ３０を形成し、ウインドウェイ３０が形成された歌口部２０を、本体部１０の空洞１１内の突き当て部１４と当接するように嵌め込み、そして、歌口部２０に嘴状のキャップ４０を被せることにより、本実施形態の発音機構を形成することができる。
【００４３】
この場合、キャップ４０には、ウィンドウェイ３０の吹き込み口３１と連通するアーチ状の開口（図示せず）が設けられており、キャップ４０の開口から息を吹き込むことで、吹き込まれた息（空気）がウィンドウェイ３０から本体部１０のエッジ１２の傾斜面へと当てられ、それが振動となって音が発生するようになっている。
【００４４】
このように、天板部２１をブロック部２２の上面２２ａへと位置決めして配置することによりウィンドウェイ３０を備える歌口部２０を形成し、この歌口部２０を本体部１０の空洞１１内へと嵌め込むという簡単な構成ことにより、リコーダーの発音機構を構成することができる。
【００４５】
この場合、ウィンドウェイ３０を分割可能な天板部２１とブロック部２２という別部材としたことにより、金型成形による製造であっても、ウィンドウェイ３０の天井部３３および底部３４に所定の曲率で微細なカーブを設けることができるため、従来では難しかった木製のリコーダーに近い音色や吹奏感を実現することができる。
【００４６】
なお、上記実施形態では、ウィンドウェイ３０の形状をアーチ型した例で説明しているが、これに限られることはなく、ストレート型のウィンドウェイにも適用可能であり、アーチ型と同様の効果を奏することができる。
【符号の説明】
【００４７】
１０  本体部
１１  空洞
１２  エッジ
１３  窓部
１４  突き当て部
２０  歌口部
２１  天板部
２２  ブロック部
２３  段部
２４  凹溝
３０  ウィンドウェイ
３１  吹き込み口
３２  吹き出し口
３３  天井部
３４  底部
３５，５６  側壁部
４０  キャップ
Ｌ１  ウィンドウェイの長さ
Ｌ２，Ｌ３  仮想線
【図１】
2019053218.tif 000003
【図２】
2019053218.tif 000004
【図３】
2019053218.tif 000005
【図４】
2019053218.tif 000006
【図５】
2019053218.tif 000007
【図６】
2019053218.tif 000008